(57)【特許請求の範囲】
【請求項１】
前枠にコネクタの実装された基板を取付ける遊技機の前枠への基板取付装置において、基板ベースの左右方向一側にはベース側回転支持部が設けられ、このベース側回転支持部には上下軸受孔部が上下方向に同軸状に相対峙するとともに左右方向一側の外側に開放された形態に設けられ、基板ベースの左右方向他側にはベース側係合部が設けられ、コネクタ用孔の形成された基板カバーの左右方向一側にはカバー側回転支持部が設けられ、このカバー側回転支持部には上下軸が上下方向に同軸状に突出する形態に設けられ、基板カバーの左右方向他側にはカバー側係合部が設けられ、基板に実装されたコネクタが基板カバーの前側からコネクタ用孔に挿入されて基板カバーより裏側に突出され、このコネクタの実装された基板が基板カバーの前側に固定される一方、基板ベースが前枠の裏面に固定されることによって上下軸受孔部の左右方向の外側に開放された端面と前枠の裏面とで基板カバーの上下軸の通過可能な隙間を形成し、基板に実装されたコネクタを前枠の裏面と対向するように裏返された基板カバーの上下軸がベース側回転支持部の外側から前記隙間を経由して上下軸受孔部の内部に嵌め込まれ、この基板カバーが基板ベースの上下軸受孔部に嵌め込まれた上下軸を回転中心として反転されることによって、基板に実装されたコネクタが基板カバーより突出して裏側を向くとともに、基板カバーのカバー側係合部と基板ベースのベース側係合部とが互いに係合されたことを特徴する遊技機の前枠への基板取付装置。
【請求項２】
基板ベースが前枠側の前壁と前壁の周縁より裏側に突出した周壁とにより内部空間を形成し、周壁がベース側回転支持部における上下軸受孔部の間に位置する切欠部と切欠部の下位で外側より内側に膨出する補強部と周壁の内側面に設けられた内側リブとを備え、基板カバーが基板ベースの上下軸受孔部に嵌め込まれた上下軸を回転中心として反転され、基板に実装されたコネクタが基板カバーより突出して裏側を向くとともに、基板カバーのカバー側係合部と基板ベースのベース側係合部とが互いに係合されたことによって、基板の周縁が基板ベースの内側リブや補強部に対応したことを特徴とする請求項１記載の遊技機の前枠への基板取付装置。
【請求項３】
基板ベースが前枠側の前壁と前壁の周縁より裏側に突出した周壁とにより内部空間を形成し、ベース側係合部が周壁と隙間を以って先端に爪を有する舌片を備え、カバー側係合部が先端に凹状の爪受を備え、基板カバーが基板ベースの上下軸受孔部に嵌め込まれた上下軸を回転中心として反転されて、爪受が爪を押圧すると、舌片が外側に撓み、更に、基板カバーが基板ベースの側に押し込まれることにより、爪受が爪を乗越えて前枠の側に移動すると、舌片が自身の弾性で元の位置に復元し、爪が爪受の周りのカバー側係合部の裏面に接触することによって、ベース側回転支持部とカバー側回転支持部とが互いに係合することを特徴とする請求項１記載の遊技機の前枠への基板取付装置。
【請求項４】
基板ベースが前枠側の前壁と前壁の周縁より裏側に突出した周壁とにより内部空間を形成し、内部空間に位置する前壁には内側取付孔部がベース側回転支持部の側に配置されて形成され、周壁から外側には外側取付部がベース側係合部の側に配置されて形成されたことを特徴とする請求項１記載の遊技機の前枠への基板取付装置。
【発明の詳細な説明】
【０００１】
【発明の属する技術分野】
本発明は、遊技機枠体に基板を取付ける装置に関する。
【０００２】
【従来の技術】
特開平２０００−４２２３９号公報や特開平２０００−６１１２６号公報には、パチンコ店の島にパチンコ機とそれに隣接配置される貸球払出機とを電気的に接続する配線を中継する中継基板がパチンコ機の裏側に設けられることが開示されている。
【０００３】
【発明が解決しようとする課題】
前記従来のパチンコ機においては、複数のコネクタが実装された中継基板を遊技機枠体の裏側に取付ける構造であるため、遊技機枠体の裏側に配置される中継基板以外の部品配置の関係より、中継基板を遊技機枠体の隅部に取付けるような場合、中継基板がとりつけにくくなることは否めない。
【０００４】
そこで、本発明は、基板が取付け易くなる遊技機の前枠への基板取付装置を提供するものである。
【０００５】
【課題を解決するための手段】
本発明にあっては、前枠にコネクタの実装された基板を取付ける遊技機の前枠への基板取付装置において、基板ベースの左右方向一側にはベース側回転支持部が設けられ、このベース側回転支持部には上下軸受孔部が上下方向に同軸状に相対峙するとともに左右方向一側の外側に開放された形態に設けられ、基板ベースの左右方向他側にはベース側係合部が設けられ、コネクタ用孔の形成された基板カバーの左右方向一側にはカバー側回転支持部が設けられ、このカバー側回転支持部には上下軸が上下方向に同軸状に突出する形態に設けられ、基板カバーの左右方向他側にはカバー側係合部が設けられ、基板に実装されたコネクタが基板カバーの前側からコネクタ用孔に挿入されて基板カバーより裏側に突出され、このコネクタの実装された基板が基板カバーの前側に固定される一方、基板ベースが前枠の裏面に固定されることによって上下軸受孔部の左右方向の外側に開放された端面と前枠の裏面とで基板カバーの上下軸の通過可能な隙間を形成し、基板に実装されたコネクタを前枠の裏面と対向するように裏返された基板カバーの上下軸がベース側回転支持部の外側から前記隙間を経由して上下軸受孔部の内部に嵌め込まれ、この基板カバーが基板ベースの上下軸受孔部に嵌め込まれた上下軸を回転中心として反転されることによって、基板に実装されたコネクタが基板カバーより突出して裏側を向くとともに、基板カバーのカバー側係合部と基板ベースのベース側係合部とが互いに係合されたことを特徴としている。よって、本発明によれば、前枠に配置される基板以外の部品配置の関係より、基板を前枠のヒンジ側下部のような奥まった場所に取付けるような場合でも、基板に実装されたコネクタを前枠の裏面と対向するように裏返された基板カバーの上下軸が前枠の裏面に固定された基板ベースの上下軸受孔部の開放された左右方向の外側から内部に嵌め込まれた後、基板カバーを反転すれば良いので、基板を前枠に容易に取付けることができる。基板に実装されて基板カバーより突出して裏側を向いたコネクタから相手側コネクタを引抜く場合、基板が基板カバーで受止められ、基板の取付構造を堅牢にすることができる。又、本発明にあっては、基板ベースが前枠側の前壁と前壁の周縁より裏側に突出した周壁とにより内部空間を形成し、周壁がベース側回転支持部における上下軸受孔部の間に位置する切欠部と切欠部の下位で外側より内側に膨出する補強部と周壁の内側面に設けられた内側リブとを備え、基板カバーが基板ベースの上下軸受孔部に嵌め込まれた上下軸を回転中心として反転され、基板に実装されたコネクタが基板カバーより突出して裏側を向くとともに、基板カバーのカバー側係合部と基板ベースのベース側係合部とが互いに係合されたことによって、基板の周縁が基板ベースの内側リブや補強部に対応したことによって、基板に実装されたコネクタに相手側コネクタが差込まれる場合、コネクタの実装された基板の周縁が内側リブや補強部で受止められれば、基板に実装されて基板カバーより突出して裏側を向いたコネクタに相手側コネクタを差込む場合、基板の周縁が内側リブや補強部で受止められ、基板に実装されて基板カバーより突出して裏側を向いたコネクタに相手側コネクタを差込む力が、基板を基板カバーに取付ける部材にかからず、基板の取付構造が堅牢である。又、本発明にあっては、基板ベースが前枠側の前壁と前壁の周縁より裏側に突出した周壁とにより内部空間を形成し、ベース側係合部が周壁と隙間を以って先端に爪を有する舌片を備え、カバー側係合部が先端に凹状の爪受を備え、基板カバーが基板ベースの上下軸受孔部に嵌め込まれた上下軸を回転中心として反転されて、爪受が爪を押圧すると、舌片が外側に撓み、更に、基板カバーが基板ベースの側に押し込まれることにより、爪受が爪を乗越えて前枠の側に移動すると、舌片が自身の弾性で元の位置に復元し、爪が爪受の周りのカバー側係合部の裏面に接触することによって、ベース側回転支持部とカバー側回転支持部とが互いに係合すれば、基板ベースへの基板カバーの装着や離脱が容易である。又、本発明にあっては、基板ベースが前枠側の前壁と前壁の周縁より裏側に突出した周壁とにより内部空間を形成し、内部空間に位置する前壁には内側取付孔部がベース側回転支持部の側に配置されて形成され、周壁から外側には外側取付部がベース側係合部の側に配置されて形成されれば、基板ベースの周囲より一部の取付孔を削除でき、基板ベースが小形化できるうえ、基板ベースへの基板カバーの装着や離脱、基板に実装されて基板カバーより突出して裏側を向いたコネクタへの相手側コネクタの装着や離脱に対し、基板ベースの前枠への固定姿勢が安定する。
【０００６】
【発明の実施の形態】
図１〜図５は本発明の第１実施形態であって、図１は基板取付装置１を分解して示し、図２は上下軸４８；４９の平面的な形状を示し、図３は基板取付装置１の前枠６５への取付工程を示し、図４は基板取付装置１の前枠６５への取付形態を示し、図５は前枠６５の閉じ状態における基板カバー３５の脱落防止を示す。
【０００７】
図１を参照し、基板取付装置１について説明する。基板ベース２は図４の額縁状の前枠６５に止ねじ６６で固定されるものであって、合成樹脂により次のような各部分を備えた単一体に構成される。基板ベース２は長方形の前壁３と前壁３の周縁より後方に突出する周壁４とで内部空間を後方開放状で前方閉鎖状に形成する。前壁３には上膨出部５が裏側に段差状に膨出して周壁４に連なって形成される。上膨出部５の前側面は前壁３の前側面よりも裏側に所定寸法ｄ１だけ後退する。上膨出部５とそれに連なる周壁４とには相手側逃溝６が形成される。相手側逃溝６は上膨出部５において前後に貫通する。上膨出部５及び相手側逃溝６は図外の板金部品のフランジ部及び止ねじの頭部を逃げるためのものである。上膨出部５以外の前壁３の一側部には内側取付孔部７が上下に形成される。周壁４の内側面には凸条の内側リブ８が周壁４の前後幅方向に延設される。周壁４の左右外側面にはベース側係合部９とベース側回転支持部１０とが個別に形成される。
【０００８】
ベース側係合部９は先端に爪１１を有する舌片１２と舌片１２の両脇を抱える上下壁１３；１４とを備える。舌片１２は周壁４と隙間を以って外側取付部２５より裏側に突出する。上壁１３は爪１１よりも上側に張出した舌片１２における上肩部１５の上縁と周壁４の外側面とに連なって外側取付部２５より裏側に突出し、下壁１４は爪１１よりも下側に張出した舌片１２における下肩部１６の下縁と周壁４の外側面とに連なって外側取付部２５より裏側に突出する。舌片１２と上下壁１３；１４と周壁４と外側取付部２５とが空間を囲み形成する。舌片１２の上下肩部１５；１６よりも裏側に突出した部分は上下壁１３；１４より離隔する。
【０００９】
ベース側回転支持部１０は切欠部２７周りの周壁４より外側に突出して上下に所定間隔を以って相対峙する上下軸受壁１７；１８を備える。上下軸受壁１７；１８の相互に対向する内側面には上下軸受孔部１９；２０を同軸状に囲み形成する軸受孔壁２１；２２が突出する。上下軸受孔壁２１；２２は前側より裏側に延びる平坦面と平坦面より連なる弧状面とを備える。弧状面側の上下軸受孔壁２１；２２の端面２１ａ；２２ａは前側に向いている。これによって、上下軸受孔部１９；２０は外側が開放された半月状を呈する。上軸受孔部１９の上部は上軸受壁１７で閉鎖され、下軸受孔部２０の下部は下軸受壁１８で閉鎖される。上軸受壁１７と周壁４とは外側の結合壁２３で互いに連結される。上下軸受壁１７；１８と上下軸受孔壁２１；２２及び結合壁２３は前壁３の前側面よりも裏側に所定寸法ｄ２だけ後退する。
【００１０】
ベース側係合部９を有する側の周壁４には周壁４の外側面より外側に突出する縦長な外側取付部２５を備える。外側取付部２５にはねじ挿入孔２６がベース側係合部９よりも上下に形成される。周壁４のベース側回転支持部１０と対応する部分は前壁３にかけて形成された切欠部２７で分断される。切欠部２７周りの前壁３には中膨出部２８が切欠部２７を囲むように前壁３から裏側に膨出して切欠部２７周りの周壁４に連なって形成される。ベース側回転支持部１０よりも下位の周壁４には外側より内側に膨出するチャンネル状の補強部２９が形成される。周壁４の下外側面には帯板状の外側リブ３０が周壁４の全幅に形成される。外側リブ３０の一端が外側取付部２５に段差状に連結される。外側リブ３０は前壁３の前側面よりも裏側に所定寸法ｄ３だけ後退する。
【００１１】
基板カバー３５は基板ベース２の裏面に回転可能にかつ着脱自在に装着されるものであって、合成樹脂により次のような各部分を備えた単一体に構成される。基板カバー３５は長方形の前壁３６と前壁３６の周縁より後方に突出する周壁３７とで基板収納部を前方開放状に形成する。周壁３７は基板ベース２の周壁４と前後方向で重ね合わされる。前壁３６には、縦長なコネクタ用孔４０；４１が左右に形成され、基板取付孔４２が対角線方向で上下に形成される。
【００１２】
周壁３７の左右外側面にはカバー側係合部４３とカバー側回転支持部４５とが個別に形成される。カバー側係合部４３は先端に爪受４４を凹状に備える。カバー側回転支持部４５は周壁３７より外側に突出して上下に所定間隔を以って相対峙する上下軸壁４６；４７を備える。上軸壁４６の上側面及び下軸壁４７の下側面には上下軸４８；４９が同軸状に個別に突出する。上下軸４８；４９は図２に示すように直径方向両側に平坦面ａ；ｂを有する。基板カバー３５を成形する場合、成形型のパーティングラインＬ１を平坦面ａ；ｂに位置させることで、仮想線Ｌ２：Ｌ３で示すように上下軸４８；４９を真円に形成した場合に比べ、成形型が左右にずれても、又は、パーティングラインＬ１の部分でバリが発生しても、上下軸４８；４９と上下軸受孔部１９；２０とが回転可能に嵌め合され、軸機能は確保される。上下軸壁４６；４８は互いに結合壁５０で連結される。結合壁５０は周壁３７に連なる。
【００１３】
基板ベース２と基板カバー３５よりなる基板取付装置１で図３の前枠６５に取付けられる基板としての中継基板５４には、複数のコネクタ５５；５６；５７；５８が同一面に左右に２つの列を成して挿入実装され、取付孔としてのねじ挿入孔５９が対角線方向で上下に形成される。コネクタ５５〜５８はパチンコ機とそれに隣接配置される貸球払出機とを電気的に接続する配線を中継する接続器である。
【００１４】
図３及び図４を参照し、基板取付装置１を用いて中継基板５４が枠６５のヒンジ側下部に取付けられる工程について説明する。図３に示すように前枠６５に基板ベース２を止ねじ６６で取付けておき、基板カバー３５に中継基板５４を取付けておく。基板ベース２を前枠６５に取付けるには、前壁３の前側面を前枠６５の裏面に重ね合せ、止ねじ６６を図１の内側取付孔部７及びねじ挿入孔２６より前枠６５に締結する。これによって、基板ベース２が前枠６５のヒンジ側下部に取付けられる。
【００１５】
基板カバー３５に中継基板５４を取付けるには、図１のコネクタ５５〜５８が基板カバー３５の前側よりコネクタ用孔４０；４１に挿入され、中継基板５４が基板収納部に格納され、止ねじ６７が前側より図１のねじ挿入孔５９を経由して基板取付孔４２に締結される。これによって、中継基板５４が基板カバー３５に固定され、コネクタ５５〜５８が基板カバー３５の前壁３６より裏側に突出する。
【００１６】
そして、図３に示すように基板カバー３５が裏返され、上下軸４８；４９が下軸受孔壁２１；２２の端面２１ａ；２２ａ前側より上下軸受壁１７；１８相互間を経由して上下軸受孔部１９；２０に嵌め込まれる。その状態において、基板カバー３５が上下軸４８；４９を回転中心として反転され、カバー側係合部４３が上下壁１３；１４相互間に挿入され、爪受４４が爪１１を押圧すると、舌片１２が外側に撓む。
【００１７】
更に、基板カバー３５が基板ベース２側に押し込まれることにより、爪受４４が爪１１を乗越えて前枠６５側に移動すると、舌片１２が自身の弾性で元の位置に復元し、爪１１が爪受４４周りのカバー側係合部４３の裏面に接触し、爪受４４周りのカバー側係合部４３が上下肩部１５；１６に接触する。
【００１８】
上記によって、図４に示すように、ベース側回転支持部１０とカバー側回転支持部４５とが係合し、ベース側係合部９とカバー側係合部４３とが相互に係合し、基板ベース２と基板カバー３５とが互いに前後方向で接触し、基板ベース２と基板カバー３５とが互いに重ね合わされ、中継基板５４が基板ベース２と基板カバー３５とで覆われた状態で、コネクタ５５〜５８が基板カバー３５より突出して裏側を向き、中継基板５４が前枠６５のヒンジ側下部に装着される。前枠６５には上下枠ヒンジ６８で額縁状の外枠６９が横前側に片開き可能に取付けられる。
【００１９】
そして、前枠６５と外枠６９とが取付けられた状態において、図５に示すように、前枠６５が閉じられた場合、基板カバー３５がベース側回転支持部１０とカバー側回転支持部４５とを回転中心として開けられても、コネクタ５８が外枠６９に接触し、ベース側回転支持部１０とカバー側回転支持部４５との嵌め合いは確保され、基板カバー３５の脱落防止は図られる。
【００２０】
第１実施形態の構造によれば、前枠６５の裏面に固定された基板ベース２のベース側回転支持部１０と中継基板５４が取付けられた基板カバー３５のカバー側回転支持部４５とが互いに嵌め込まれ、基板カバー３５がベース側回転支持部１０とカバー側回転支持部４５とを回転中心として反転され、基板ベース２のベース側係合部９と基板カバー３５のカバー側係合部４３とが互いに係合される。よって、前枠６５に配置される中継基板５４以外の部品配置の関係より、図４に示すように中継基板５４を前枠６５のヒンジ側下部に取付けるような場合でも、基板ベース２を前枠６５に固定しておき、中継基板５４を基板カバー３５に取付けておき、カバー側回転支持部４５をベース側回転支持部１０に嵌め込んで、基板カバー３５を反転すれば良いので、中継基板５４が前枠６５に取付け易くなる。
【００２１】
第１実施形態の構造によれば、中継基板５４に実装されたコネクタ５５〜５８がコネクタ用孔４０；４１より基板カバー３５の外側に突出され、中継基板５４が基板カバー３５に止ねじ６７で取付けられる。よって、コネクタ５５〜５８から相手側コネクタを引抜く場合、中継基板５４が前壁３６で受止められるので、中継基板５４の取付構造が堅牢である。
【００２２】
第１実施形態の構造によれば、ベース側回転支持部１０とカバー側回転支持部４５とが係合し、ベース側係合部９とカバー側係合部４３とが相互に係合し、基板ベース２と基板カバー３５とが互いに前後方向で接触し、基板ベース２と基板カバー３５とが互いに重ね合わされ、中継基板５４が基板ベース２と基板カバー３５とで覆われた状態において、中継基板５４の周縁が基板ベース２の内側リブ８や補強部２９に対応する。よって、コネクタ５５〜５８に相手側コネクタを差込む場合、中継基板５４が内側リブ８や補強部２９で受止められるので、コネクタ５５〜５８に相手側コネクタを差込む力が中継基板５４を基板カバー３５に取付ける止ねじ６７にかからず、中継基板５４の取付構造が堅牢である。
【００２３】
第１実施形態の構造によれば、基板ベース２が前壁３と周壁４とにより内部空間を形成し、前壁３には内側取付孔部７が形成されたことにより、基板ベース２の周囲より一部の取付孔を削除でき、基板ベース２が小形化できる。
【００２４】
第１実施形態の構造によれば、基板ベース２の外側取付部２５がベース側係合部９の上下に沿って設けられたので、ベース側係合部９の上下のデッドスペースを外側取付部２５として利用し、基板ベース２が小形化できる。
【００２５】
第１実施形態の構造によれば、内側取付孔部７がベース側回転支持部１０の側に配置され、外側取付部２５がベース側係合部９の側に配置されたので、基板ベース２への基板カバー３５の装着や離脱、コネクタ５５〜５８への相手側コネクタの装着や離脱に対し、基板ベース２の前枠６５への固定姿勢が安定する。
【００２６】
第１実施形態の構造によれば、基板ベース２の上下幅及び基板カバー３５の上下幅に比べて、ベース側回転支持部１０の上下幅及びカバー側回転支持部４５の上下幅が小寸法に形成されたので、ベース側回転支持部１０とカバー側回転支持部４５とが互いに嵌め合される場合に、ベース側回転支持部１０の軸心とカバー側回転支持部４５の軸心とが一致せずに交差するように少しずれても、カバー側回転支持部４５がベース側回転支持部１０に適切に嵌め込まれる。
【００２７】
図６は本発明の第２実施形態における基板取付装置１が前枠６５に取付けられた形態を示す。第２実施形態は、基板カバー３５のカバー側係合部４３の側に配置されたコネクタ用孔４０周りに保護壁７０をコネクタ５５〜５８よりも高く形成し、障害物がコネクタ５５〜５８にぶつからないようにしたものである。
【図面の簡単な説明】
【図１】  第１実施形態の基板取付装置を示す分解斜視図。
【図２】  第１実施形態の上下軸を示す平面図。
【図３】  第１実施形態の基板取付装置の取付工程を示す斜視図。
【図４】  第１実施形態の基板取付装置の取付形態を示す斜視図。
【図５】  第１実施形態の基板カバーの脱落防止を示す摸式図。
【図６】  第２実施形態の基板取付装置の取付形態を示す斜視図。
【符号の説明】
１  基板取付装置
２  基板ベース
７  内側取付孔部
９  ベース側係合部
１０  ベース側回転支持部
２５  外側取付部
３５  基板カバー
４０；４１  コネクタ用孔
４３  カバー側係合部
４５  カバー側回転支持部
５４  中継基板
５５〜５８  コネクタ
６５  前枠
【図１】
0004248735.tif 000002
【図２】
0004248735.tif 000003
【図３】
0004248735.tif 000004
【図４】
0004248735.tif 000005
【図５】
0004248735.tif 000006
【図６】
0004248735.tif 000007